(57)【要約】【課題】反転可能なベビーカーを提供すること。【解決手段】本発明ではベビーカーが開示され、このベビーカーは、折り畳み式フレームと、フレーム上に配置された座席と、フレームが展開されたときにフレームをロックするためのロック機構と、フレームの底部に配置された前後の車輪組立体とを備える。フレームは、前ブラケットと、前方部分が前ブラケットに接続されている座席ロッドと、下方部分が前ブラケットの上方部分又は座席ロッドの前方部分に回転可能に接続されているプッシュロッドと、下方部分が座席ロッドに回転可能に接続されている後ブラケットと、プッシュロッドの上方部分と後ブラケットの上方部分とを接続するための摺動要素とを備える。摺動要素は、プッシュロッド及び後ブラケット上に摺動可能に配置され、且つ一方に回転可能に接続され、座席は座席ロッドに載せられる。【選択図】図3
2014091517.tif 000002
【特許請求の範囲】
【請求項１】
折り畳み式フレームと、前記フレーム上に配置された座席と、前記フレームが展開されたときに前記フレームをロックするためのロック機構と、第1の前輪組立体及び第2の前輪組立体と、前記フレームの底部に配置された第1の後輪組立体及び第2の後輪組立体とを含み、
前記フレームが、
その下方部分に前記第1の前輪組立体が配置された、第1の前ブラケットと、
その下方部分に前記第2の前輪組立体が配置された、第2の前ブラケットと、
その上に前記座席が配置される第1の座席ロッドであって、その前方部分が前記第1の前ブラケットに回転可能に接続されており、その後方部分に前記第1の後輪組立体が設けられている、第1の座席ロッドと、
その上に前記座席が配置される第2の座席ロッドであって、その前方部分が前記第2の前ブラケットに回転可能に接続されており、その後方部分に前記第2の後輪組立体が設けられている、第2の座席ロッドと、
下方部分が前記第1の前ブラケットの上方部分又は前記第1の座席ロッドの前記前方部分に回転可能に接続されている第1の下方プッシュロッド、及び前記第1の下方プッシュロッドに摺動可能に接続された第1の上方プッシュロッドを含む、第1のプッシュロッドであって、前記フレームが展開されたときに、前記第1の上方プッシュロッド及び第1の下方プッシュロッドが相互にロックされ、前記フレームが折り畳まれる又は展開される過程で、前記第1の上方プッシュロッドが前記第1の下方プッシュロッドに対して摺動することが可能な、第1のプッシュロッドと、
下方部分が前記第2の前ブラケットの上方部分又は前記第2の座席ロッドの前記前方部分に回転可能に接続されている第2の下方プッシュロッド、及び前記第2の下方プッシュロッドに摺動可能に接続された第2の上方プッシュロッドを含む、第2のプッシュロッドであって、前記フレームが開かれたときに、前記第2の上方プッシュロッド及び第2の下方プッシュロッドが相互にロックされ、前記フレームが折り畳まれる又は開かれる過程で、前記第2の上方プッシュロッドが前記第2の下方プッシュロッドに対して摺動することが可能な、第2のプッシュロッドと、
その下方部分が前記第1の座席ロッドに回転可能に接続されている、第1の後ブラケットと、
その下方部分が前記第2の座席ロッドに回転可能に接続されている、第2の後ブラケットと、
前記第1の上方プッシュロッドと前記第1の後ブラケットの上方部分とを接続するための第1の摺動要素であって、前記第1の上方プッシュロッド及び前記第1の後ブラケット上に摺動可能に配置され、前記第1の上方プッシュロッド及び前記第1の後ブラケットが回転可能に接続される、第1の摺動要素と、
前記第2の上方プッシュロッドと前記第2の後ブラケットの上方部分とを接続するための第2の摺動要素であって、前記第2の上方プッシュロッド及び前記第2の後ブラケット上に摺動可能に配置され、前記第2の上方プッシュロッド及び前記第2の後ブラケットが回転可能に接続される、第2の摺動要素と、を含み、
前記フレームが展開されたときに、前記第1のプッシュロッド及び前記第2のプッシュロッドが、第1の動作位置及び第2の動作位置を含む二つの動作位置を有し、前記第1の動作位置では、前記第1のプッシュロッド及び前記第2のプッシュロッドは上端部が前記座席の後上方に位置された状態で下部から上部にかけて後方に傾斜し、前記第2の動作位置では、前記第1のプッシュロッド及び前記第2のプッシュロッドはその上端部が前記座席の前上方に位置された状態で下部から上部にかけて前方に傾斜し、前記フレームが折り畳まれたときには、前記前輪組立体及び前記後輪組立体が前記フレームを平面上で支持することができる、ベビーカー。
【請求項２】
前記プッシュロッド、前ブラケット、座席ロッド、後ブラケット、及び摺動要素が相互に接続されてサイドフレームの本体を形成するように、前記第1及び第2の前ブラケット、前記第1及び第2の座席ロッド、前記第1及び第2のプッシュロッド、前記第1及び第2の後ブラケット、及び前記第1及び第2の摺動要素の各対が、前記フレームの二つの対向する側に設けられており、前記フレームの各側に位置する前記二つのサイドフレームが、前記二つのサイドフレームを相互に近づけるために横方向に折り畳むことが可能な横方向ブレース組立体によって接続されている、請求項1に記載のベビーカー。
【請求項３】
前記横方向ブレース組立体が、交差継目において相互に交差し且つ回転可能に接続する二つの前支持ロッドを含む前支持ブラケットを備え、前記二つの前支持ロッドの上端部と前記第1及び第2の座席ロッドとの接続位置が前記第1及び第2の座席ロッドと前記第1及び第2の前ブラケットとの接続位置の前になるように、前記二つの上端部がそれぞれ前記第1及び第2の座席ロッドに回転可能に接続され、二つの下端部がそれぞれ前記第1及び第2の前ブラケットに回転可能に接続されている、請求項2に記載のベビーカー。
【請求項４】
前記横方向ブレース組立体が、前記第1の座席ロッドと前記第2の座席ロッドとの間に配置された底部支持ブラケットを備えている、請求項2に記載のベビーカー。
【請求項５】
前記底部支持ブラケットが、
前記交差継目において相互に交差し且つヒンジ式に接続する二つのロッドから成る、十字ブレースと、
二つの接続ロッドであって、該二つの接続ロッドのそれぞれの一端部が前記十字ブレースの二つの隣接した端部のうちの一方に回転可能に接続されており、他端部が前記第1及び第2の座席ロッドのうちの一方に回転可能に接続されている、二つの接続ロッドと、を備え、
前記十字ブレースの他の二つの端部がそれぞれ、前記フレームの二つの側に位置する前記第1及び第2の座席ロッドに回転可能に接続されている、請求項4に記載のベビーカー。
【請求項６】
前記横方向ブレース組立体が、前記第1及び第2の後ブラケット間に配置された後支持ブラケットをさらに備えている、請求項2に記載のベビーカー。
【請求項７】
前記後支持ブラケットが、
直立ロッドと、
第1の横方向ロッド及び第2の横方向ロッドであって、該第1の横方向ロッド及び第2の横方向ロッドのそれぞれに、前記直立ロッドの上端部に回転可能に接続された内側端部、及び前記フレームの二つの側に位置する前記後ブラケットのうちの一方に回転可能に接続された外側端部が設けられた、第1の横方向ロッド及び第2の横方向ロッドと、
前記直立ロッド上に摺動可能に配置された摺動ブロックと、
第3の横方向ロッド及び第4の横方向ロッドであって、該第3の横方向ロッド及び第4の横方向ロッドのそれぞれに、前記直立ロッドの下端部に回転可能に接続された内側端部、及び前記フレームの二つの側に位置する前記後ブラケットのうちの一方に回転可能に接続された外側端部が設けられた、第3の横方向ロッド及び第4の横方向ロッドと、
その二つの端部がそれぞれ前記摺動ブロック及び前記第3の横方向ロッドに枢動可能に接続された、第1の傾斜ロッドと、
その二つの端部がそれぞれ前記摺動ブロック及び前記第4の横方向ロッドに枢動可能に接続された、第2の傾斜ロッドと、を備えている、請求項6に記載のベビーカー。
【請求項８】
第1及び第2の前輪組立体及び前記第1及び第2の後輪組立体の車輪の回転軸が、実質的に同一平面内に位置し、前記平面上において、前記第1及び第2の摺動要素と前記第1及び第2のプッシュロッド又は前記第1及び第2の後ブラケットとの前記接続位置の投影が、前記前輪と前記後輪との間に位置している、請求項1に記載のベビーカー。
【請求項９】
前記ロック機構が、前記第1及び第2の下方プッシュロッドと前記第1及び第2の前ブラケットとを相対的にロックするための第1のロック機構を含んでいる、請求項1に記載のベビーカー。
【請求項１０】
前記ロック機構が、前記第1及び第2の摺動要素と前記第1及び第2の上方プッシュロッド及び/又は第1及び第2の後ブラケットとを相対的にロックするための第2のロック機構をさらに含んでいる、請求項1に記載のベビーカー。
【請求項１１】
前記ロック機構が、前記第1及び第2の上方プッシュロッドと前記第1及び第2の下方プッシュロッドとを相対的にロックするための第3のロック機構をさらに含んでいる、請求項1に記載のベビーカー。
【発明の詳細な説明】
【技術分野】
【０００１】
本発明はベビーカーに関する。
【背景技術】
【０００２】
一般に、従来技術におけるベビーカーは、折り畳み式フレームと、フレームの前方部分の底部に配置された前輪組立体と、フレームの後方部分の底部に配置された後輪組立体と、フレームが折り畳まれたときにフレームをロックするためのロック機構と、フレームに載せられた座席とを備える。現在のところ、フレームのロッド数、ロッド間の接続及び接続位置が相互に異なる様々なフレームが存在し、したがって、フレームの使用法及び機能性は相互に異なる。
【発明の概要】
【発明が解決しようとする課題】
【０００３】
本発明によって解決すべき技術上の問題は、反転可能なベビーカーを提供することである。
【課題を解決するための手段】
【０００４】
上記の問題を克服するために、本発明においては、折り畳み式フレームと、フレーム上に配置された座席と、フレームが展開されたときにフレームをロックするためのロック機構と、フレームの底部に配置された前輪組立体及び後輪組立体とを備え、フレームが、その下方部分に前輪組立体が配置される前ブラケットと、前方部分が前ブラケットに回転可能に接続されており且つ後方部分に後輪組立体が設けられている座席ロッドと、プッシュロッドと、下方部分が座席ロッド及び摺動要素に回転可能に接続されている後ブラケットとを含んでいる、ベビーカーが提供される。プッシュロッドは、下方部分が前ブラケットの上方部分又は座席ロッドの前方部分に回転可能に接続されている下方プッシュロッドと、下方プッシュロッドに摺動可能に接続された上方プッシュロッドとを含む。上方プッシュロッド及び下方プッシュロッドは、フレームが展開されたときには相互にロックされ、上方プッシュロッドは、フレームが折り畳み又は展開の過程にあるときには、下方プッシュロッドに対して摺動することができる。摺動要素は、プッシュロッド及び後ブラケットのうちの一方に摺動可能に配置され、且つ、他方に回転可能に接続される。座席は、座席ロッド上に配置される。フレームが展開されたときには、プッシュロッドは二つの動作位置を有し、第1の動作位置では、プッシュロッドは下部から上部にかけて後方に傾斜し、また、プッシュロッドの上端部は、座席の後ろ上方に配置され、第2の動作位置では、プッシュロッドは下部から上部にかけて前方に傾斜し、また、プッシュロッドの上端部は、座席の前上方に配置される。本明細書において、前後に関する表現は、需要家の一般的慣習によって定義される。フレームが折り畳まれるときには、上方及び下方のプッシュロッドは、折り畳み後のフレームの平衡が維持されるように相互に摺動して、プッシュロッド全体を収縮させる。したがって、前輪組立体及び後輪組立体は、折り畳まれたフレームを平面上で支持して、フレームが立つことを可能にすることができる。
【０００５】
特定の一実施形態では、前ブラケット、座席ロッド、プッシュロッド、後ブラケット、及び摺動要素の各対が、それぞれ、フレームの二つの対向する側に設けられ、各側において、プッシュロッド、前ブラケット、座席ロッド、後ブラケット、及び摺動要素が、相互に接続されてサイドフレームの本体を形成し、また、フレームの両側に位置する二つのサイドフレーム間には、二つのサイドフレームを相互に近づけるために横方向に折り畳むことが可能な横方向ブレース組立体が接続されている。横方向ブレース組立体を横方向に折り畳むことにより、フレームを横方向に折り畳むことができる。本発明全体にわたって、「横方向(transverse)」又は「横方向に(transversely)」という表現は、当業者の習慣によって定義される。前述の「横方向」又は「横方向に」は、フレームの左側と右側との間で水平にわたる方向を意味する。
【０００６】
特定の一実例では、横方向ブレース組立体は、交差継目において相互に交差し且つ回転可能に接続する二つの前支持ロッドを含む前支持ブラケットを備え、二つの前支持ロッドの上端部はそれぞれ、座席ロッドに回転可能に接続されており、また、下端部はそれぞれ、前ブラケットに回転可能に接続されており、二つの前支持ロッドの上端部と座席ロッドとの接続位置は、座席ロッドと前ブラケットとの接続位置の前とされている。
【０００７】
好ましくは、横方向ブレース組立体は、フレームの二つの側に位置するロッド間に配置された底部支持ブラケットを含む。
【０００８】
より好ましくは、底部支持ブラケットは、
交差継目において相互に交差し且つヒンジ式に接続する二つのロッドから成る、十字ブレースと、
それぞれの一端部が十字ブレースの二つの隣接した端部のうちの一方に回転可能に接続されており、他端部が座席ロッドのうちの一方に回転可能に接続されている、二つの接続ロッドと、を備え、十字ブレースの他方の二つの端部はそれぞれ、フレームの二つの側に位置する座席ロッドに回転可能に接続されている。
【０００９】
なおも好ましくは、横方向ブレース組立体は、フレームの二つの側に位置する後ブラケット間に配置された後支持ブラケットをさらに含む。
【００１０】
さらに好ましくは、後支持ブラケットは、
直立ロッドと、
それぞれに、直立ロッドの上端部に回転可能に接続された内側端部、及びフレームの二つの側に位置する後ブラケットのうちの一方に回転可能に接続された外側端部が設けられた、第1の横方向ロッド及び第2の横方向ロッドと、
直立ロッド上に摺動可能に配置された摺動ブロックと、
それぞれに、直立ロッドの下端部に回転可能に接続された内側端部、及びフレームの二つの側に位置する後ブラケットのうちの一方に回転可能に接続された外側端部が設けられた、第3の横方向ロッド及び第4の横方向ロッドと、
その二つの端部がそれぞれ摺動ブロック及び第3の横方向ロッドに枢動可能に接続された、第1の傾斜ロッドと、
その二つの端部がそれぞれ摺動ブロック及び第4の横方向ロッドに枢動可能に接続された、第2の傾斜ロッドと
を備える。
【００１１】
好ましい一実施形態では、前輪組立体及び後輪組立体の車輪の回転軸は、実質的に一平面内に位置し、この平面上において、摺動要素とプッシュロッド又は後ブラケットとの接続位置の投影は、前輪と後輪の間に位置する。
【００１２】
好ましくは、ロック機構は、下方プッシュロッドと前ブラケットとを相対的にロックするための第1のロック機構を含む。
【００１３】
より好ましくは、ロック機構はまた、摺動要素と上方プッシュロッド及び/又は後ブラケットとを相対的にロックするための第2のロック機構を含む。
【００１４】
なおも好ましくは、ロック機構は、上方プッシュロッドと下方プッシュロッドとを相対的にロックするための第3のロック機構をさらに含む。
【００１５】
一実例では、上述の第1のロック機構、第2のロック機構、及び第3のロック機構のうちの1以上が設けられうる。
【００１６】
本発明の範囲は、上述の技術的特徴を具体的に組み合わせた技術的方式に限定されるものではなく、上述の特徴を本発明において開示されたものを含むがそれらに限定されない類似の機能を有する技術的特徴と交換することによって形成された技術的方式などの、上述の技術的特徴又は同等の特徴を任意に組み合わせた他の技術的方式もまた、本発明に含まれるべきである。
【００１７】
上記の技術的解決法を適用することにより、従来技術と比較して、本発明は以下の利点を有する。
【００１８】
新規の技術概念を持つ新しい技術的解決法が、本発明において開示される。前ブラケット、プッシュロッド、座席ロッド、及び後ブラケットが、接続ロッド機構を構成する。プッシュロッド及び後ブラケットを回転させること、及び摺動要素を摺動させることにより、フレームを二つの動作位置に調整することができる。第1の動作位置では、フレームは正の状態にあり、押し手は座席の背後に位置し、座席上の子供は押し手の前方に位置する。第2の動作位置では、フレームは反転状態に変形され、押し手は座席の正面に位置して、子供の方を向く。フレームを折り畳む過程では、ロック機構はロック解除され、前ブラケットが後ブラケットに近づくように、プッシュロッドが前ブラケットに近づく。折り畳みの後、前輪組立体及び後輪組立体は、同一平面内に位置してフレームを支持する。
【図面の簡単な説明】
【００１９】
【図１】本発明の実施形態1による正の状態におけるフレームの正面図である。
【図２】本発明の実施形態1による反転状態におけるフレームの正面図である。
【図３】本発明の実施形態1による折り畳み状態におけるフレームの正面図である。
【図４】本発明の実施形態1による正の状態におけるフレームの斜視図である。
【図５】本発明の実施形態1による反転状態におけるフレームの斜視図である。
【図６】本発明の実施形態1による折り畳み状態におけるフレームの斜視図である。
【図７】本発明の実施形態2による反転状態におけるフレームの正面図である。
【図８】本発明の実施形態2による反転状態におけるフレームの斜視図である。
【図９】本発明の実施形態3による反転状態におけるフレームの斜視図である。
【図１０】本発明の実施形態3による正の状態におけるフレームの斜視図である。
【図１１】本発明の実施形態4による正の状態におけるフレームの斜視図である。
【図１２】本発明の実施形態4による折り畳み状態におけるフレームの正面図である。
【発明を実施するための形態】
【００２０】
添付の図面を参照しながら本発明について以下に説明する。しかしながら、各図面は単に例示のために提示されたものであり、したがって本発明の範囲を限定するものとして見なすべきではなく、本発明が他の同様に効果的な実施形態を許容しうることに留意されたい。
【００２１】
（実施形態1）
図1〜図6に示されているように、ベビーカーは、前後、上下、及び左右の方向に折り畳むことが可能な、展開位置及び折り畳み位置を有するフレーム1と、フレーム1上に配置された座席と、フレーム1が展開されたときにフレーム1をロックするためのロック機構と、フレームの前方部分の底部に配置された第1の前輪組立体51及び第2の前輪組立体61と、フレーム1の後方部分の底部に配置された第1の後輪組立体52及び第2の後輪組立体62とを備える。
【００２２】
フレーム1は、第1の前ブラケット11、第2の前ブラケット21、第1の座席ロッド12、第2の座席ロッド22、第1のプッシュロッド13、第2のプッシュロッド23、第1の後ブラケット14、及び第2の後ブラケット24を備える。
【００２３】
第1の前輪組立体51は、第1の前ブラケット11の下方部分に配置される。
【００２４】
第1の座席ロッド12は、第1の前ブラケット11に第1のシャフト31を中心として回転可能に接続され、また、第1の後輪組立体52は、第1の座席ロッド12の下方部分に配置される。
【００２５】
第1の摺動要素18が、第1のプッシュロッド13上に設けられ、また、第1の後ブラケット14の上方部分は、第1の摺動要素18に第5のシャフト33を中心として回転可能に接続される。
【００２６】
第1のプッシュロッド13の下方部分は、第1の前ブラケット11の上方部分に第3のシャフト32を中心として回転可能に接続される。
【００２７】
第1の後ブラケット14の下方部分は、第1の座席ロッド12に第7のシャフト34を中心として回転可能に接続される。
【００２８】
第2の前輪組立体61は、第2の前ブラケット21の下方部分に配置される。
【００２９】
第2の座席ロッド22は、第2の前ブラケット21に第2のシャフト41を中心として回転可能に接続され、また、第2の後輪組立体62は、第2の座席ロッド22の下方部分に配置される。
【００３０】
第2の摺動要素28が、第2のプッシュロッド23上に設けられ、また、第2の後ブラケット24の上方部分は、第2の摺動要素28に第6のシャフト43を中心として回転可能に接続される。
【００３１】
第2のプッシュロッド23の下方部分は、第2の前ブラケット21の上方部分に第4のシャフト42を中心として回転可能に接続される。
【００３２】
第2の後ブラケット24の下方部分は、第2の座席ロッド22に第8のシャフト44を中心として回転可能に接続される。
【００３３】
第1の前ブラケット11、第1の座席ロッド12、第1のプッシュロッド13、及び第1の後ブラケット14は、フレームの一方の側において第1のサイドフレームを構成し、また、第2の前ブラケット21、第2の座席ロッド22、第2のプッシュロッド23、及び第2の後ブラケット24は、フレームの反対側において第2のサイドフレームを構成する。示された実例では、第1及び第2のサイドフレームは、相互に対称である。第1のサイドフレームは、横方向に折り畳み可能な横方向ブレース組立体により、第2のサイドフレームに接続される。
【００３４】
フレーム1は、展開時には、正及び反転の動作位置を有する。正の動作位置では、第1のプッシュロッド13及び第2のプッシュロッド23の両方が、下部から上部にかけて後方に傾斜し、反転動作位置では、第1のプッシュロッド13及び第2のプッシュロッド23の両方が、下部から上部にかけて前方に傾斜する。
【００３５】
正の動作位置と反転動作位置との間でフレームが変形する過程では、第2のサイドフレーム及び第1のサイドフレームが、同一の構造変化を有する。
【００３６】
フレーム1が正の動作位置と反転動作位置との間で変形する際、プッシュロッド13及び23は、それぞれ第3のシャフト32及び第4のシャフト42を中心として回転する。プッシュロッド上で摺動要素18及び28が摺動すると、後ブラケット14及び24の上方部分が、それぞれ第5のシャフト33及び第6のシャフト43を中心として回転し、また、下方部分が、第7のシャフト34及び第8のシャフト44を中心として回転する。このことから、フレームが反転する過程では、種々の部品が、それぞれ第3のシャフト32、第4のシャフト42、第5のシャフト33、第6のシャフト43、第7のシャフト34、及び第8のシャフト44を中心として回転する。したがって、これらのシャフトの軸は、相互に平行であることが好ましい。
【００３７】
当然ながら、プッシュロッド、前ブラケット、後ブラケット、及び摺動要素などの種々の部品の相対的な回転は、シャフトに代わる他の手段によって達成することもできる。例えば、回転は、回転継手によって達成される。
【００３８】
フレーム1が折り畳まれる際、前ブラケット及び座席ロッドは相互に回転し、また、第1の座席ロッド12及び第2の座席ロッド22は、それぞれ第1のシャフト31及び第2のシャフト41を中心として回転し、また、二つのシャフトの軸もやはり、第3のシャフト32、第4のシャフト42、第5のシャフト33、第6のシャフト43、第7のシャフト34、及び第8のシャフト44の軸に対して平行であることが好ましい。
【００３９】
第1のプッシュロッド13及び第2のプッシュロッド23の構造は、以下に説明する通りである。
【００４０】
第1のプッシュロッド13は、第1の下方プッシュロッド16と、第1の下方プッシュロッド16に摺動可能に接続された第1の上方プッシュロッド17とを含む。第1の下方プッシュロッド16の下方部分は、第1の前ブラケット11の上方部分に第3のシャフト32を中心として回転可能に接続され、また、第1の摺動要素18は、第1の上方プッシュロッド17上に摺動可能に配置される。第2のプッシュロッド23は、第2の下方プッシュロッド26と、第2の下方プッシュロッド26に摺動可能に接続された第2の上方プッシュロッド27とを含む。第2の下方プッシュロッド26の下方部分は、第2の前ブラケット21の上方部分に第4のシャフト42を中心として回転可能に接続され、また、第2の摺動要素28は、第2の上方プッシュロッド27上に摺動可能に配置される。フレーム1が正の動作位置と反転動作位置との間で変形する際には、主として、第1の摺動要素18が第1のプッシュロッド13に対して下方に摺動し、第2の摺動要素28が第2のプッシュロッド23に対して下方に摺動する。したがって、フレーム1が反転する過程では、第1の上方プッシュロッド17及び第1の下方プッシュロッド16の相対位置は変化せず、また、第2の上方プッシュロッド27及び第2の下方プッシュロッド26の相対位置は変化しない。フレーム1が展開位置から折り畳み位置に変形する過程では、第1のプッシュロッド17は、第1の下方プッシュロッド16に対して下方に摺動し、第2の上方プッシュロッド27は、第2の下方プッシュロッド26に対して摺動する。したがって、フレーム1が展開位置にあるときには、第1及び第2のプッシュロッド13、23は、その位置がより高くなるため、保持するのに都合が良く、また、折り畳み後は、フレーム1は、その高さ及び体積が減少するため、単独で立つのが容易である。図6に示されているように、折り畳まれたフレームは、前後輪によって支持されて平面上に立つことができる。
【００４１】
ロック機構は、第1の下方プッシュロッド16の下方部分と第1の前ブラケット11の上方部分との間、及び/又は第2の下方プッシュロッド26の下方部分と第2の前ブラケット21の上方部分との間に配置された、第1のロック機構を含むことができ、ロック機構はまた、第1の上方プッシュロッド17と第1の摺動要素18との間、及び/又は第2の上方プッシュロッド27と第2の摺動要素28との間に配置された、第2のロック機構を含むことができ、或いは、第1及び第2のロック機構の両方が設けられる。ロック機構はまた、第1の上方プッシュロッド17と第1の下方プッシュロッド16との間、及び/又は第2の上方プッシュロッド27と第2の下方プッシュロッド26との間に配置された、第3のロック機構を含む。第1のロック機構は、回転を止めるために使用されるものであり、また、本発明の技術上の要点には関連しないので、本明細書ではより詳細には説明しない。したがって、相互に回転する二つの部品をロックすることが可能な任意のロック構成を、本発明に適用することができる。第2及び第3のロック機構は、やはり本発明の技術上の要点には関与しない摺動ロック機構であり、相互に摺動する二つの構成要素をロックすることが可能な任意のロック部品を、本発明に適用することができる。そのようなロック機構は当業者には良く知られているので、本明細書ではより詳細には説明しない。
【００４２】
横方向ブレース組立体は、第1の前ブラケット11と第2の前ブラケット21との間、及び第1の座席ロッド12と第2の座席ロッド22との間に配置された、前支持ブラケット7を含む。前支持ブラケット7は、交差継目において相互に交差し且つ摺動可能に接続する、第1の前支持ロッド及び第2の前支持ロッドを含む。第1の前支持ロッドの下方部分は、第1の回転継手により、第1の前ブラケット11に二つの交差平面の方向において回転可能に接続され、また、第1の前支持ロッドの上方部分は、第3の回転継手により、第2の座席ロッド22に二つの交差平面の方向において回転可能に接続され、また、第3の回転継手は、第2のシャフト41の前に位置する。第2の前支持ロッドの下方部分は、第2の回転継手により、第2の前ブラケット21に二つの交差平面の方向において回転可能に接続され、第2の前支持ロッドの上方部分は、第4の回転継手により、第1の座席ロッド12に二つの交差平面の方向において回転可能に接続され、また、第4の回転継手は、第1のシャフト31の前に位置する。この実施形態では、第1の回転継手、第2の回転継手、第3の回転継手、及び第4の回転継手はそれぞれ、相互に垂直な二つのシャフトにより、隣接した部品に回転可能に接続される。さらに、上記の四つの回転継手は、玉継手に置き換えることができる。
【００４３】
横方向ブレース組立体は、第1の座席ロッド12と第2の座席ロッド22との間に配置された底部支持ブラケット8を含む。底部支持ブラケット8は、一方の端部が第1の座席ロッド12に枢動可能に接続されている第1の底部ロッドと、一方の端部が第2の座席ロッド22に枢動可能に接続されている第2の底部ロッドと、一方の端部が第1の座席ロッド12に枢動可能に接続されている第3の底部ロッドと、一方の端部が第2の座席ロッド22に枢動可能に接続されている第4の底部ロッドとを含む。第3及び第4の底部ロッドは、交差継目において相互に交差し且つ枢動可能に接続し、第3の底部ロッドの他方の端部は、第2の底部ロッドの他方の端部に枢動可能に接続され、第4の底部ロッドの他方の端部は、第1の底部ロッドの他方の端部に枢動可能に接続される。
【００４４】
横方向ブレース組立体は、第1の後ブラケット14と第2の後ブラケット24との間に配置された後支持ブラケット9をさらに含み、この後支持ブラケット9は、直立ロッド95と、その一方の端部が直立ロッド95の上端部に枢動可能に接続され、また他方の端部が第1の後ブラケット14に枢動可能に接続された、第1の横方向ロッド91と、その一方の端部が直立ロッド95の上端部に枢動可能に接続され、また他方の端部が第2の後ブラケット24に枢動可能に接続された、第2の横方向ロッド92と、直立ロッド95上に摺動可能に配置された、摺動ブロック96と、その一方の端部が直立ロッド95の下端部に枢動可能に接続され、また他方の端部が第1の後ブラケット14に枢動可能に接続された、第3の横方向ロッド93と、その一方の端部が直立ロッド95の下端部に枢動可能に接続され、また他方の端部が第2の後ブラケット24に枢動可能に接続された、第4の横方向ロッド94と、その一方の端部が摺動ブロック96に枢動可能に接続され、また他方の端部が第3の横方向ロッド93に枢動可能に接続された、第1の傾斜ロッド97と、その一方の端部が摺動ブロック96に枢動可能に接続され、また他方の端部が第4の横方向ロッド94に枢動可能に接続された、第2の傾斜ロッド98とを含む。
【００４５】
（実施形態2）
図7及び図8に示されているように、実施形態2は、第1のプッシュロッド13及び第2のプッシュロッド23が異なる構造を有するという点で、実施形態1と異なる。この実施形態では、第1のプッシュロッド13及び第2のプッシュロッド23はそれぞれ、一体形ロッドである。実施形態1と比較すると、フレーム1が展開位置にあるときには、第1のプッシュロッド13及び第2のプッシュロッド23の最上部は、より低い位置にあり、フレーム1が折り畳み位置にあるときには、フレーム1の体積は、より大きくなる。
【００４６】
（実施形態3）
図9及び図10に示されているように、実施形態3は、横方向ブレース組立体が異なる構造を有するという点で、実施形態1と異なる。実施形態1では、横方向ブレース組立体は、前支持ブラケット7、底部支持ブラケット8、及び後支持ブラケット9を含むが、実施形態3では、横方向ブレース組立体は、後支持ブラケット9を含まずに、前支持ブラケット7及び底部支持ブラケット8のみを含み、その中で前支持ブラケット7の構造は、実施形態1における前支持ブラケット7と同一であり、また、底部支持ブラケット8の構造は、実施形態1における後支持ブラケット9の構造と同一である。
【００４７】
（実施形態4）
図11及び図12に示されているように、この実施形態のフレームは、実質的に上記の実施形態のフレームと似ている。実施形態1、2、3におけるフレームは左右方向(横方向)に折り畳むことができ、実施形態4におけるフレームは横方向に折り畳むことができないという点で、実施形態4は実施形態1、2及び3とは異なる。したがって、実施形態4では、横方向に折り畳み可能な横方向ブレース組立体は、必ずしも設けられる訳ではない。
【００４８】
フレームは、H字、U字(上方に開いている)、又はT字(図示せず)の形状の前ブラケット110であって、前輪組立体を前ブラケットの下方部分に配置される単一の前輪組立体として構成することができるか、或いは、前輪組立体が、前ブラケット110の下方部分の左右の側にそれぞれ配置された第1の前輪組立体51及び第2の前輪組立体61を含むことができる、前ブラケット110と、第1の座席ロッド12及び第2の座席ロッド22であって、第1の座席ロッド12の上方部分が、第1の前ブラケットの上方部分に第1のシャフト31を中心として回転可能に接続されており、また、第2の座席ロッド22の上方部分22が、第1の前ブラケットの上方部分に第2のシャフト41を中心として回転可能に接続されており、また、第1の後輪組立体52及び第2の後輪組立体62がそれぞれ、対応する第1の座席ロッド12及び第2の座席ロッド22の下方部分に配置されている、第1の座席ロッド及び第2の座席ロッドと、U字形(上方に開いている)プッシュロッドであって、その二つの対向する側に位置する二つの長いアーム上に第1の摺動要素18及び第2の摺動要素28がそれぞれ設けられており、また、二つの長いアームの下方部分がそれぞれ、前ブラケット110に第3のシャフト32及び第4のシャフト42を中心として回転可能に接続されている、U字形プッシュロッドと、その上端部分が第1の摺動要素18に第5のシャフト33を中心として回転可能に接続され、またその下方部分が第1の座席ロッド12に第7のシャフト34を中心として回転可能に接続された、第1の後ブラケット14と、その上方部分が第2の摺動要素28に第6のシャフト43を中心として回転可能に接続され、またその下方部分が第2の座席ロッド22に第8のシャフト34を中心として回転可能に接続された、第2の後ブラケット24とを含む。
【００４９】
プッシュロッドの構造については、同様に、プッシュロッドは、下方部分が前ブラケット110の上方部分に第3のシャフト32を中心として回転可能に接続されている第1の下方プッシュロッド16と、第2の下方プッシュロッド26と、第1の下方プッシュロッド16及び第2の下方プッシュロッド26のそれぞれに摺動可能に接続された上方プッシュロッド17とを含むことができ、第1の摺動要素18及び第2の摺動要素28が、上方プッシュロッド17上に摺動可能に接続される。
【００５０】
ロック機構は、上方プッシュロッド17と第1の下方プッシュロッド16及び/又は第2の下方プッシュロッド26との間に配置された、第3のロック機構を含む。さらに、ロック機構はまた、プッシュロッドの下方部分と前ブラケット110の上方部分との間に配置された第1のロック機構と、プッシュロッドと第1の摺動要素18及び/又は第2の摺動要素28との間に配置された第2のロック機構とを含む。
【００５１】
実施形態4の変形例として、プッシュロッドは、単一のロッドとして設けられていてもよい。第1の座席ロッド12及び第2の座席ロッド22もまた、ロッド全体がH字形であるような、一体形のロッドとして構成されていてもよい。
【００５２】
上記のように、本発明の精神に照らして詳細な説明が示されたが、本発明は、上述の実施形態及び実装方法に限定されるものではない。当業者により、本発明の範囲内で多くの変形及び実装を行うことが可能である。
【符号の説明】
【００５３】
1  フレーム
7  前支持ブラケット
8  底部支持ブラケット
9  後支持ブラケット
11  第1の前ブラケット
12  第1の座席ロッド
13  第1のプッシュロッド
14  第1の後ブラケット
16  第1の下方プッシュロッド
17  第1の上方プッシュロッド
18  第1の摺動要素
21  第2の前ブラケット
22  第2の座席ロッド
23  第2のプッシュロッド
24  第2の後ブラケット
26  第2の下方プッシュロッド
27  第2の上方プッシュロッド
28  第2の摺動要素
31  第1のシャフト
32  第3のシャフト
33  第5のシャフト
34  第7のシャフト
41  第2のシャフト
42  第4のシャフト
43  第6のシャフト
44  第8のシャフト
51  第1の前輪組立体
52  第1の後輪組立体
61  第2の前輪組立体
62  第2の後輪組立体
91  第1の横方向ロッド
92  第2の横方向ロッド
93  第3の横方向ロッド
94  第4の横方向ロッド
95  直立ロッド
96  摺動ブロック
97  第1の傾斜ロッド
98  第2の傾斜ロッド
110  前ブラケット
【図１】
2014091517.tif 000003
【図２】
2014091517.tif 000004
【図３】
2014091517.tif 000005
【図４】
2014091517.tif 000006
【図５】
2014091517.tif 000007
【図６】
2014091517.tif 000008
【図７】
2014091517.tif 000009
【図８】
2014091517.tif 000010
【図９】
2014091517.tif 000011
【図１０】
2014091517.tif 000012
【図１１】
2014091517.tif 000013
【図１２】
2014091517.tif 000014
【外国語明細書】
2014091517000001.pdf